(57)【要約】【課題】オーディオ属性の変更を検出してオーディオアンプの出力を切り替える際に、ある期間だけオーディオアンプの出力をミュートして、あるいは無音再生期間を設けて、変更後のオーディオ属性に対応するようにオーディオアンプの動作条件を変更するようにしているので、オーディオアンプの出力を切り替える際に再生音が途切れたり不連続になったりして、滑らかに切り替えすることができず使用者に違和感を与えるという問題があった。【解決手段】前記複数の音場モードの各音場モードに対応して生成された音声信号のそれぞれに対しゲインを調整して出力できるようにゲイン調整部を設け、音場モードを前記複数の音場モード間で遷移させて他の音場モードに切り替える際、切り替えの遷移期間の前記ゲイン調整部に設定すべき各ゲインを切り替え前後のゲイン設定値から補間して前記ゲイン調整部に設定し音場モードを滑らかに切り替える。【選択図】図１０
2008067279.tif 000002
【特許請求の範囲】
【請求項１】
複数の音場モードで音声出力することができる音声出力装置において、
前記複数の音場モードの各音場モードに対応して生成された音声信号を出力チャンネルに出力する際、生成された前記音声信号のそれぞれに対しゲインを調整して出力できるように設けられた複数のゲイン調整部と、
音場モードを前記複数の音場モード間で遷移させて他の音場モードに切り替える際、切り替え前の音場モードにおける前記ゲイン調整部に設定されたゲインを初期値とし、切り替え後の音場モードにおける前記ゲイン調整部に設定されたゲインを最終値とし、遷移期間の前記ゲイン調整部に設定すべき各ゲインを前記初期値と前記最終値から補間して求め前記ゲイン調整部に設定する音場変更処理手段を備えたことを特徴とする音声出力装置。
【請求項２】
前記音場変更処理手段は、音場モードの切り替え遷移期間を複数の等しい長さの区間に分け、前記区間の両端における前記ゲイン調整部に設定すべきゲインを直線補間により求めて設定することを特徴とする請求項１に記載の音声出力装置。
【請求項３】
前記複数のゲイン調整部は、生成された左サラウンドチャンネルの音声信号、左チャンネルの音声信号、センタチャンネルの音声信号、右チャンネルの音声信号、右サラウンドチャンネルの音声信号に対してゲインがそれぞれ個別に調整可能であることを特徴とする請求項１又は請求項２のいずれか一項に記載の音声出力装置。
【請求項４】
前記複数のゲイン調整部は、バーチャルサラウンド処理ブロック又はプロロジック２処理ブロックから出力される左チャンネルの音声信号、センタチャンネルの音声信号、右チャンネルの音声信号の音声信号に対してゲインがそれぞれ個別に調整可能であることを特徴とする請求項１乃至請求項３のいずれか一項に記載の音声出力装置。
【請求項５】
前記バーチャルサラウンド処理ブロックからの音声信号と
前記プロロジック２処理ブロックからの音声信号を選択して出力するセレクタを備え、
該セレクタの出力信号が前記ゲイン調整部に入力されることを特徴とする請求項４に記載の音声出力装置。
【請求項６】
前記ゲイン調整部の入力側に、前記バーチャルサラウンド処理ブロック又は／及び前記プロロジック２処理ブロックの時間遅れに起因するタイミングずれを調整する信号遅延回路を備えたことを特徴とする請求項４又は請求項５のいずれか一項に記載の音声出力装置。
【請求項７】
請求項１乃至請求項６のいずれかの音声出力装置を備えた映像音声再生装置。
【請求項８】
複数の音場モードで音声出力することができる音声出力装置の音場モード切り替え方法において、
前記複数の音場モードの各音場モードに対応して生成された音声信号を出力チャンネルに出力する際、生成された前記音声信号のそれぞれに対しゲインを調整して出力できるようにゲイン調整部を設け、
音場モードを前記複数の音場モード間で遷移させて他の音場モードに切り替える際、切り替え前の音場モードにおける前記ゲイン調整部に設定されたゲインを初期値とし、切り替え後の音場モードにおける前記ゲイン調整部に設定されたゲインを最終値とし、遷移期間の前記ゲイン調整部に設定すべき各ゲインを前記初期値と前記最終値から補間して求め前記ゲイン調整部に設定することを特徴とする音場モード切り替え方法。
【請求項９】
音場モードの切り替え遷移期間を複数の等しい長さの区間に分け、前記区間の両端における前記ゲイン調整部に設定すべきゲインを直線補間により求めて設定することを特徴とする請求項８に記載の音場モード切り替え方法。
【請求項１０】
生成された左サラウンドチャンネルの音声信号、左チャンネルの音声信号、センタチャンネルの音声信号、右チャンネルの音声信号、右サラウンドチャンネルの音声信号に対してゲインがそれぞれ個別に調整可能であることを特徴とする請求項８又は請求項９のいずれか一項に記載の音場モード切り替え方法。
【請求項１１】
バーチャルサラウンド処理ブロック又はプロロジック２処理ブロックから出力される左チャンネルの音声信号、センタチャンネルの音声信号、右チャンネルの音声信号の音声信号に対してゲインがそれぞれ個別に調整可能であることを特徴とする請求項８又は請求項９のいずれか一項に記載の音場モード切り替え方法。
【請求項１２】
前記プロロジック２処理ブロックあるいは前記バーチャルサラウンド処理ブロックのいずれかを使用する音場モード同士間の切り替えは、前記プロロジック２処理ブロック及び前記バーチャルサラウンド処理ブロックのいずれも使用しない音場モードを経由させ、
前記プロロジック２処理ブロック及び前記バーチャルサラウンド処理ブロックのいずれも使用しない前記音場モードを経由する時点で前記ゲイン調整部に入力される音声信号を前記プロロジック２処理ブロックの出力から前記バーチャルサラウンド処理ブロックの出力に、又は前記バーチャルサラウンド処理ブロックの出力から前記プロロジック２処理ブロックの出力に切り替えることを特徴とする請求項１１に記載の音場モード切り替え方法。
【請求項１３】
前記バーチャルサラウンド処理ブロック又は／及び前記プロロジック２処理ブロックの時間遅れに起因するタイミングずれを調整するようにしたことを特徴とする請求項１１又は請求項１２のいずれか一項に記載の音場モード切り替え方法。
【発明の詳細な説明】
【技術分野】
【０００１】
本発明は、音声再生装置、映像音声再生装置、及びその音場モードの切り替え方法に係り、特に音場モードを切り替える際に違和感のない音場モードの切り替えを実現する音声再生装置、映像音声再生装置、及びその音場モードの切り替え方法に関する。
【背景技術】
【０００２】
デジタル放送を受信するテレビ受信機では、テレビ番組とそれに付加されたジャンル情報やチャンネル情報を受信している。テレビ受信機はこれら付加情報を基に番組内容に適した音場モードに切り替えるなどの制御を行うことができる。例えば特開２００５−８４４５９号公報（特許文献１）によれば、入力されたオーディオ信号からオーディオの属性の変更があったことを検出すると、リアフィルのオン／オフを切り替えたり、オリジナルコンテンツのオーディオフォーマットに応じてプロロジック（登録商標）等のオン／オフを切り替える技術が記載されている。
【特許文献１】特開２００５−８４４５９号公報
【発明の開示】
【発明が解決しようとする課題】
【０００３】
上記特許文献１に記載された従来技術は、オーディオ属性の変更を検出してオーディオアンプの出力を切り替える際に、ある期間だけオーディオアンプの出力をミュートして、あるいは無音再生期間を設けて、変更後のオーディオ属性に対応するようにオーディオアンプの動作条件を変更するようにしている。したがって、オーディオアンプの出力を切り替える際に再生音が途切れたり不連続になったりして、滑らかに切り替えすることができず使用者に違和感を与えるという問題があった。
【０００４】
本発明の目的は、上記問題点に鑑み、オーディオアンプの出力を切り替える際に再生音が途切れたり不連続になったりすることがなく、オーディオアンプの出力状態を滑らかに切り替えることができる音声再生装置、映像音声再生装置、及びその音場モードの切り替え方法を提供することにある。
【課題を解決するための手段】
【０００５】
本発明の音声出力装置は、複数の音場モードで音声出力することができる音声出力装置において、前記複数の音場モードの各音場モードに対応して生成された音声信号を出力チャンネルに出力する際、生成された前記音声信号のそれぞれに対しゲインを調整して出力できるように設けられた複数のゲイン調整部と、音場モードを前記複数の音場モード間で遷移させて他の音場モードに切り替える際、切り替え前の音場モードにおける前記ゲイン調整部に設定されたゲインを初期値とし、切り替え後の音場モードにおける前記ゲイン調整部に設定されたゲインを最終値とし、遷移期間の前記ゲイン調整部に設定すべき各ゲインを前記初期値と前記最終値から補間して求め前記ゲイン調整部に設定する音場変更処理手段を備えたことを特徴とする。
また、本発明の音声出力装置は、前記音場変更処理手段が、音場モードの切り替え遷移期間を複数の等しい長さの区間に分け、前記区間の両端における前記ゲイン調整部に設定すべきゲインを直線補間により求めて設定することを特徴とする。
また、本発明の音声出力装置は、前記複数のゲイン調整部が、生成された左サラウンドチャンネルの音声信号、左チャンネルの音声信号、センタチャンネルの音声信号、右チャンネルの音声信号、右サラウンドチャンネルの音声信号に対してゲインがそれぞれ個別に調整可能であることを特徴とする。
また、本発明の音声出力装置は、前記複数のゲイン調整部が、バーチャルサラウンド処理ブロック又はプロロジック２処理ブロックから出力される左チャンネルの音声信号、センタチャンネルの音声信号、右チャンネルの音声信号の音声信号に対してゲインがそれぞれ個別に調整可能であることを特徴とする。
また、本発明の音声出力装置は、前記バーチャルサラウンド処理ブロックからの音声信号と前記プロロジック２処理ブロックからの音声信号を選択して出力するセレクタを備え、該セレクタの出力信号が前記ゲイン調整部に入力されることを特徴とする。
また、本発明の音声出力装置は、前記ゲイン調整部の入力側に、前記バーチャルサラウンド処理ブロック又は／及び前記プロロジック２処理ブロックの時間遅れに起因するタイミングずれを調整する信号遅延回路を備えたことを特徴とする。
また、本発明の映像音声再生装置は、上記いずれかの音声出力装置を備えたことを特徴とする。
また、本発明の音場モード切り替え方法は、複数の音場モードで音声出力することができる音声出力装置の音場モード切り替え方法において、前記複数の音場モードの各音場モードに対応して生成された音声信号を出力チャンネルに出力する際、生成された前記音声信号のそれぞれに対しゲインを調整して出力できるようにゲイン調整部を設け、音場モードを前記複数の音場モード間で遷移させて他の音場モードに切り替える際、切り替え前の音場モードにおける前記ゲイン調整部に設定されたゲインを初期値とし、切り替え後の音場モードにおける前記ゲイン調整部に設定されたゲインを最終値とし、遷移期間の前記ゲイン調整部に設定すべき各ゲインを前記初期値と前記最終値から補間して求め前記ゲイン調整部に設定することを特徴とする。
また、本発明の音場モード切り替え方法は、音場モードの切り替え遷移期間を複数の等しい長さの区間に分け、前記区間の両端における前記ゲイン調整部に設定すべきゲインを直線補間により求めて設定することを特徴とする。
また、本発明の音場モード切り替え方法は、生成された左サラウンドチャンネルの音声信号、左チャンネルの音声信号、センタチャンネルの音声信号、右チャンネルの音声信号、右サラウンドチャンネルの音声信号に対してゲインがそれぞれ個別に調整可能であることを特徴とする。
また、本発明の音場モード切り替え方法は、バーチャルサラウンド処理ブロック又はプロロジック２処理ブロックから出力される左チャンネルの音声信号、センタチャンネルの音声信号、右チャンネルの音声信号の音声信号に対してゲインがそれぞれ個別に調整可能であることを特徴とする。
また、本発明の音場モード切り替え方法は、前記プロロジック２処理ブロックあるいは前記バーチャルサラウンド処理ブロックのいずれかを使用する音場モード同士間の切り替えは、前記プロロジック２処理ブロック及び前記バーチャルサラウンド処理ブロックのいずれも使用しない音場モードを経由させ、前記プロロジック２処理ブロック及び前記バーチャルサラウンド処理ブロックのいずれも使用しない前記音場モードを経由する時点で前記ゲイン調整部に入力される音声信号を前記プロロジック２処理ブロックの出力から前記バーチャルサラウンド処理ブロックの出力に、又は前記バーチャルサラウンド処理ブロックの出力から前記プロロジック２処理ブロックの出力に切り替えることを特徴とする。
また、本発明の音場モード切り替え方法は、前記バーチャルサラウンド処理ブロック又は／及び前記プロロジック２処理ブロックの時間遅れに起因するタイミングずれを調整するようにしたことを特徴とする。
【発明の効果】
【０００６】
本発明によれば、音場モードを切り替える際に再生音が途切れたり不連続になったりすることがなく、オーディオアンプの出力状態を滑らかに切り替えることができる効果を奏する。
【発明を実施するための最良の形態】
【０００７】
次に、本発明を実施するための最良の形態を、図面を参照して具体的に説明する。
【０００８】
図１乃至図３は、本発明をテレビ受信機（映像音声再生装置、受信手段）１、オーディオ機器（音声再生装置、音声再生手段）２、レコーダ（番組記録再生装置、映像音声再生装置、受信手段）３〜５などを、ＨＤＭＩ（High Definition Multimedia Interface）端子１０〜１７を備えたＨＤＭＩケーブル６〜９、及び光ケーブル１８で接続して、ＡＶ信号や番組情報信号の授受を行い、映像や音声の再生を行う第１〜第３の実施の形態を示している。
【０００９】
図１はテレビ受信機１とオーディオ機器２をＨＤＭＩケーブル６と光ケーブル１８で接続した第１の実施の形態であり、図２はテレビ受信機１と２台のレコーダ３、４をＨＤＭＩケーブル７及びＨＤＭＩケーブル８で接続した第２の実施の形態であり、図３はテレビ受信機１とオーディオ機器２をＨＤＭＩケーブル６と光ケーブル１８で接続し更にオーディオ機器２とレコーダ５をＨＤＭＩケーブル９で接続した第３の実施の形態である。テレビ受信機１は映像音声再生装置、あるいは受信手段であり、放送番組を直接受信して再生することができると共に、ＨＤＭＩケーブル６〜９を介して外部機器から入力されたＡＶ信号（オーディオ・ビジュアル信号；映像信号と音声信号を含む）を基に番組を再生することができる。また、オーディオ機器２は音声再生装置、音声再生手段であり、ＨＤＭＩケーブル６〜９、光ケーブル１８を介して入力された音声信号を基に音声を再生することができる。またレコーダ３〜５は番組記録再生装置、映像音声再生装置、あるいは受信手段であり、放送番組のＡＶ信号を直接受信して記録、再生することができると共に、再生されたＡＶ信号をＨＤＭＩケーブル６〜９を介して外部に出力することができる。図示はしていないがレコーダ３〜５は外部からＡＶ信号を入力して記録、再生することもできる。
【００１０】
ＨＤＭＩ端子１０〜１７は、ディスプレイ接続技術のＤＶＩ（Digital Visual Interface）端子をＡＶ（オーディオ・ビジュアル）関連機器向けにアレンジして開発されたもので、次世代テレビ向けのインターフェース規格に基づいた接続端子である。ＨＤＭＩ端子では１本のケーブルで映像信号、音声信号、制御信号を合わせて送ることができ、制御信号は双方向にも伝送させることができるため、機器間をシンプルに接続でき、１台のリモコンで複数のＡＶ機器（オーディオ・ビジュアル機器）を制御することができるようになる。
【００１１】
図１乃至図３におけるＨＤＭＩケーブル６〜９部分の詳細な接続関係を図４に示す。
【００１２】
図４において、２１は映像データと音声データの送り側であるＨＤＭＩソース、２２は映像データと音声データの受け側のＨＤＭＩシンクを示している。例えば図２で言えばレコーダ３とレコーダ４がＨＤＭＩソース２１に相当し、テレビ受信機１がＨＤＭＩシンク２２に相当している。ＨＤＭＩソース２１にはＨＤＭＩ送信機２３が備わり、ＨＤＭＩシンク２２にはＨＤＭＩ受信機２４が備わっている。２５は両端にＨＤＭＩ端子２６、２７を備えたＨＤＭＩケーブルである。
【００１３】
ＨＤＭＩ送信機２３に入力された映像信号、音声信号、及び制御状態信号がＴＭＤＳチャンネル２８（ＴＭＤＳチャンネル０〜２とＴＭＤＳクロックチャンネル）を通してＨＤＭＩシンク２２にシリアル伝送される。ＨＤＭＩシンク２２ではＴＭＤＳクロックチャンネルを通して送られたクロック信号を基に、ＴＭＤＳチャンネル２８を通して送られた映像信号、音声信号、制御状態信号を再生する。なお、音声信号と制御状態信号は映像信号のブランキング期間を利用して伝送される。
【００１４】
また、ＨＤＭＩケーブル２５にはＣＥＣ（Consumer Electronics Control）ライン２９とＤＤＣ（Display Data Channel）ライン３０も配置されている。ＣＥＣライン２９とＤＤＣライン３０は双方向ラインであり、これらの信号ラインを通じ機器間で制御信号のやり取りが行われる。
【００１５】
例えば、後述するように、テレビ受信機１やオーディオ機器２の音場モードを切り替えるため、テレビ受信機１、オーディオ機器２、及びレコーダ３〜５の間で、番組ジャンル情報やチャンネル数（コンテンツに関する付加情報）に応じた制御信号がＣＥＣライン２９を通してやり取りされる。また例えば、テレビ受信機１やレコーダ３〜５は、自己に直接的又は間接的に外部接続された機器の映像表示仕様や音声出力仕様などを、ＥＤＩＤ（Extended Display Identification）−ＲＯＭ３１からＤＤＣライン３０を通して読み取り、接続されている機器の仕様にあった映像信号と音声信号を送信するようになっている。
【００１６】
図５は、図３の第３の実施の形態を、概略の制御ブロック図で示したものである。
【００１７】
図５において、４１〜４３はホストＣＰＵである。また、４４はモニタマイコン、４５、４６はフロントマイコンである。４７〜４９はインターフェース回路である。また、５０、５１はＨＤＭＩ受信用ＬＳＩである。また、５２、５３はＨＤＭＩ送信用ＬＳＩである。インターフェース４７、４８、４９間はＣＥＣラインで接続されている。ＨＤＭＩ受信用ＬＳＩはＨＤＭＩ受信機２４をＬＳＩ化したもの、ＨＤＭＩ送信用ＬＳＩ５２、５３はＨＤＭＩ送信機２３をＬＳＩ化したものである。
【００１８】
ＨＤＭＩ送信用ＬＳＩ５３には送信先としてＨＤＭＩ受信用ＬＳＩ５０が接続されている。またＨＤＭＩ送信用ＬＳＩ５２には送信先としてＨＤＭＩ受信用ＬＳＩ５１が接続されている。またＨＤＭＩ送信用ＬＳＩ５３は、ＨＤＭＩ受信用ＬＳＩ５１がＨＤＭＩ送信用ＬＳＩ５２から受信したデータを受け取ることができるように、ＨＤＭＩ受信用ＬＳＩ５１に接続されている。
【００１９】
ホストＣＰＵ４１〜４３は、モニターマイコン４４、フロントマイコン４５、４６、インターフェース回路４７〜４９、ＣＥＣラインを介して相互に通信することができる。また、ホストＣＰＵ４１〜４３は、ＨＤＭＩ送信用ＬＳＩ５２、５３を制御し、ＴＭＤＳチャンネルを介して映像信号、音声信号、制御状態信号を送信することができる。また、ＨＤＭＩ受信用ＬＳＩ５０、５１を制御し、ＴＭＤＳチャンネルを介して映像信号、音声信号、制御状態信号を受信することができる。
【００２０】
ＨＤＭＩケーブル６は、映像信号、音声信号、制御状態信号の伝送方向が一方向のみ可能なので、テレビ受信機１が放送局から受信した番組の音声をオーディオ機器２のスピーカで再生する場合には、テレビ受信機１からオーディオ機器２へ音声データを送る光ケーブル１８が設けられる。５４，５５は光ケーブル用インターフェースである。
【００２１】
例えば、ユーザによって操作されるリモコン（図示なし）からの指令により、テレビ受信機１がレコーダ５の映像信号、音声信号を受信して映像表示及び音声出力する場合には、テレビ受信機１のホストＣＰＵ４１はレコーダ５のホストＣＰＵ４３に対して映像信号と音声信号を送信するよう制御信号を送る。
【００２２】
この制御信号はモニタマイコン４４、インターフェース回路４７、ＣＥＣライン、インターフェース回路４９、フロントマイコン４６を介してホストＣＰＵ４３に伝達される。ホストＣＰＵ４１からの制御信号を受け取ったホストＣＰＵ４３はＨＤＭＩ送信用ＬＳＩ５２を制御してテレビ受信機１に向けて映像信号と音声信号を送信する。ＨＤＭＩ送信用ＬＳＩ５２から送信された映像信号と音声信号は一旦オーディオ機器２のＨＤＭＩ受信用ＬＳＩ５１で受信される。このときホストＣＰＵ４２は受信された信号が自己向けでないと判断し、再びＨＤＭＩ送信用ＬＳＩ５３からテレビ受信機１に向けて映像信号と音声信号を送信する。ＨＤＭＩ送信用ＬＳＩ５３から送信された映像信号と音声信号はテレビ受信機１のＨＤＭＩ受信用ＬＳＩ５０で受信され、ホストＣＰＵ４１が自己向けに送信された信号と判断したら受信したデータを取り込む。
【００２３】
テレビ受信機１はこのようにしてレコーダ５からの映像信号と音声信号を基に映像表示、音声出力を行うことができる。また、レコーダ５で再生された番組ジャンル情報やチャンネル数（コンテンツに関する付加情報）をレコーダ５のホストＣＰＵ４３からテレビ受信機１のホストＣＰＵ４１に、フロントマイコン４６、インターフェース回路４９、ＣＥＣライン、インターフェース回路４７、モニタマイコン４４を介して送信する。テレビ受信機１は、上記番組ジャンル情報やチャンネル数（コンテンツに関する付加情報）に応じてスピーカ出力モードを番組に適した構成に制御する。別の手段として、レコーダ５から再生された番組ジャンル情報やチャンネル数（コンテンツに関する付加情報）そのものを送るのではなく、この情報をもとにスピーカ出力モードが番組に適したものになるような「番組情報に基づく制御情報」（ここでの番組情報に基づく制御情報とは、複数の音場モードの中から番組に適した音場モードを選択するための情報であり、例えば音場モード（後述の「ＶＳモード」など）を指定するコマンドや、番組情報に対応したコードなどを使用することができる）を送っても良い。
【００２４】
また、他の例として、例えば、ユーザによって操作されるリモコン（図示なし）からの指令により、レコーダ５の映像信号を基にテレビ受信機１で映像表示し、レコーダ５の音声信号を基にオーディオ機器２で音声出力する場合には、ホストＣＰＵ４１はレコーダ５のホストＣＰＵ４３に対して、映像信号をテレビ受信機１に送信し音声信号をオーディオ機器２に送信するよう制御信号を送る。
【００２５】
この制御信号はモニタマイコン４４、インターフェース回路４７、ＣＥＣライン、インターフェース回路４９、フロントマイコン４６を介してホストＣＰＵ４３に伝達される。ホストＣＰＵ４１からの制御信号を受け取ったホストＣＰＵ４３はＨＤＭＩ送信用ＬＳＩ５２を制御してテレビ受信機１に向けて映像信号を送信し、オーディオ機器２に向けて音声信号を送信する。ＨＤＭＩ送信用ＬＳＩ５２から送信された映像信号と音声信号は一旦オーディオ機器２のＨＤＭＩ受信用ＬＳＩ５１で受信される。このときホストＣＰＵ４２は受信された信号の内映像信号は自己向けでないと判断し、映像信号を再びＨＤＭＩ送信用ＬＳＩ５３からテレビ受信機１のＨＤＭＩ受信用ＬＳＩ５０に向けて映像信号を送信する。ＨＤＭＩ送信用ＬＳＩ５３から送信された映像信号はテレビ受信機１のＨＤＭＩ受信用ＬＳＩ５０で受信される。このときホストＣＰＵ４１は自己向けに送信された映像信号と判断し、受信したデータを取り込む。
【００２６】
このようにしてテレビ受信機１は自己の映像表部に映像を表示する。
【００２７】
一方ホストＣＰＵ４２は音声信号が自己向けであると判断するので自己向け音声データとして取り込み、オーディオ機器２は取り込んだ音声データを基に自己のスピーカから音声を出力する。また、レコーダ５で再生された番組ジャンル情報やチャンネル数（コンテンツに関する付加情報）をレコーダ５のホストＣＰＵ４３からオーディオ機器２のホストＣＰＵ４２に、フロントマイコン４６、インターフェース回路４９、ＣＥＣライン、インターフェース回路４８、フロントマイコン４５を介して送信する。オーディオ機器２は、上記番組ジャンル情報やチャンネル数（コンテンツに関する付加情報）に応じてスピーカ出力モードを番組に適した構成に制御する。別の手段として、レコーダ５から再生された番組ジャンル情報やチャンネル数（コンテンツに関する付加情報）そのものを送るのではなく、この情報をもとにスピーカ出力モードが番組に適したものになるような番組情報に基づく制御情報を送っても良い。
【００２８】
このようにレコーダ５の映像信号、音声信号を基に、テレビ受信機１で映像表示し、オーディオ機器２で音声を出力することができる。また、ホストＣＰＵ４３はＨＤＭＩケーブル９のＣＥＣラインを介して番組ジャンル情報やチャンネル数（コンテンツに関する付加情報）もしくは、この情報をもとにスピーカ出力モードが番組に適したものになるような番組情報に基づく制御情報を送る。これらの情報を受信して、オーディオ機器２はスピーカ出力モードを番組に適した構成に制御する。
【００２９】
また、更に他の例として、例えば、テレビ受信機１のホストＣＰＵが、ユーザによって操作されるリモコン（図示なし）からの指令により、テレビ受信機１が放送局からの放送番組を受信して映像をテレビ受信機１で表示し、音声をオーディオ機器２から出力する場合には、テレビ受信機１の通常の処理でテレビ受信機１の表示部に映像を表示し、音声はテレビ受信機に備わるスピーカからの出力を停止し、代わりに光ケーブル１８を通して音声データをオーディオ機器２へ送る。
【００３０】
また、ホストＣＰＵ４１は番組ジャンル情報やチャンネル数（コンテンツに関する付加情報）をテレビ受信機１のホストＣＰＵ４１からオーディオ機器２のホストＣＰＵ４２に、モニタマイコン４４、インターフェース回路４７、ＣＥＣライン、インターフェース回路４８、フロントマイコン４５を介して送信する。オーディオ機器２は、上記番組ジャンル情報やチャンネル数（コンテンツに関する付加情報）に応じてスピーカ出力モードを番組に適した構成に制御する。別の手段として、テレビ受信機１は番組ジャンル情報やチャンネル数（コンテンツに関する付加情報）そのものを送るのではなく、この情報をもとにスピーカ出力モードが番組に適したものになるような番組情報に基づく制御情報を送っても良い。
【００３１】
これにより、テレビ受信機１が受信した放送番組の映像をテレビ受信機１の表示機により表示し、放送番組内容に対応した音場モードでオーディオ機器２のスピーカから音声を出力することができるようになる。
【００３２】
このように、ＨＤＭＩケーブルと光ケーブルにより相互接続されたテレビ受信機１、オーディオ機器２、レコーダ５は、リモコンでテレビ受信機１に操作信号を送ることにより種々の再生モードを実現できるようになる。上記再生モードの例の他にも種々の再生モードが考えられ、この場合、種々の再生モードを実現するに当たり音声データを双方向に送受信することが必要な箇所には光ケーブルが追加的に備えられる。
【００３３】
図６は、図３に示した第３の実施の形態における、テレビ受信機１、オーディオ機器２、レコーダ５の制御構成を更に詳細に示した図である。
【００３４】
図６を参照すると、本実施の形態のテレビジョン受信装置１は、アンテナ１０４と、チューナ１０５と、多重化復元部１０６と、映像復号部１０７と、音声復号部１２０と、コンテンツ情報復号部１１１と、表示部１０９と、オーディオ制御部１２１と、システムコントローラ１１５と、左右のフロントスピーカ１２９、１３０と、センタスピーカ１３１と、サブウーファ１３２と、リモコン受光部１１６と、リモコン１１７と、アンプ１２５〜１２８と、ボリューム１２４と、メモリ１１８と、操作部１１９と、セレクタ１０８、１１２と、ＨＤＭＩ受信ＬＳＩ１１０と、デジタルオーディオインターフェース変調部１１３と、発光素子１１４と、双方向インターフェース回路１３３と、ＥＤＩＤ−ＲＯＭ１３４を具備している。
【００３５】
チューナ１０５は、アンテナ１０４によって受信された放送信号から所望の周波数のチャンネルを選局し、復調処理を行う。なお、アンテナ１０４によって受信される放送信号は、地上デジタル放送、ＢＳデジタル放送、１１０度ＣＳデジタル放送等であり、チューナ１０５によって復調される信号は、コンテンツの映像信号と音声信号および当該コンテンツに関する付加情報が時分割複合化された多重化信号として多重化復元部１０６に出力される。また、コンテンツとは、放送局からの放送信号によって供給される番組に限らず、インターネット等のネットワークを介して得られる番組を含むものとし、この場合には、ネットワークからコンテンツの映像信号と音声信号および当該コンテンツに関する付加情報が時分割複合化された多重化信号が多重化復元部１０６に出力される。
【００３６】
多重化復元部１０６は、チューナ１０５（もしくはネットワーク、記録媒体の再生装置）から入力された多重化信号を基に、視聴したい番組の映像信号、音声信号、付加情報を分離する。分離した映像信号は映像復号部１０７に出力され、分離した音声信号は音声復号部１２０に出力され、分離した付加情報はコンテンツ情報復号部１１１に出力される。なお、付加情報は、入力信号に多重されているジャンルコードや、ＥＰＧ（Electronic Programming Guide）等の情報であり、コンテンツのジャンル（「映画」、「ドラマ」、「音楽」、「ドキュメンタリ」、「ニュース」等）が含まれているものとする。
【００３７】
映像復号部１０７は、多重化復元部１０６から入力された映像信号を復号化し、復号化された映像信号はセレクタ１０８を介して表示部１０９に出力され映像表示される。表示部１０９としては、液晶ディスプレイ、プラズマディスプレイ、ＣＲＴ等の表示手段が用いられる。
【００３８】
音声復号部１２０は、セレクタ１１２を介して多重化復元部１０６から入力された音声信号を復号化し、復号化された音声信号は、オーディオ制御部１２１によって加工された後、ボリューム１２４を介してアンプ１２５〜１２８で増幅され、左右のフロントスピーカ１２９、１３０と、センタスピーカ１３１と、サブウーファ１３２とから音声出力される。
【００３９】
コンテンツ情報復号部１１１は、多重化復元部１０６から入力された付加情報を復号化すると共に、復号化された付加情報からジャンルを抽出し、抽出したジャンルがコンテンツ情報としてシステムコントローラ１１５に出力される。なお、同一のコンテンツに複数のジャンルが設定されている場合、すなわち付加情報として同一のコンテンツに複数のジャンルが含まれている場合には、抽出した複数のジャンルがシステムコントローラ１１５に出力される。
【００４０】
オーディオ制御部１２１は、音声復号部１２０によって復号化された音声信号に加工を施す音質調整手段であり、チャンネル数変換処理部１９１と、音場変更処理部１９２と、強調処理部１９３と、イコライザ処理部１９４とからなる。
【００４１】
チャンネル数変換処理部１９１は、音声復号部１２０によって復号化された音声信号の入力チャンネル数を変換する機能を有し、チャンネル数変換処理として、例えば、５．１ｃｈの音声信号を３．１ｃｈ又は１ｃｈに、２ｃｈの音声信号を１ｃｈに、３．１ｃｈの音声信号を１ｃｈにそれぞれ変換するダウンミックス処理、５．１ｃｈの音声信号を３．１ｃｈ又は２ｃｈに変換するバーチャルサラウンド処理、２ｃｈの音声信号を３．１ｃｈ又は５．１ｃｈに変換するマトリクスデコード処理、１ｃｈの音声信号を２ｃｈに変換するステレオ変換処理が行われる。
【００４２】
音場変更処理部１９２は、音場、すなわちリスニング環境を変更する機能を有し、例えば、後方にスピーカが存在しないにもかかわらず、あたかも後方に音源があるかのように感じるバーチャルサラウンド処理、仮想的なスピーカ位置をスピーカの外側に移動させるスピーカ位置変更処理などを行なう。
【００４３】
チャンネル数変換処理部１９１と音場変更処理部１９２による処理はバーチャルサラウンドやプロロジック２（登録商法）などの各音場モードを実現する処理であり、以下バーチャルサラウンドにより実現される音場モードを「ＶＳモード」、プロロジック２により実現される音場モードを「ＰＬ２モード」と言うことにする。
【００４４】
強調処理部１９３は、センタスピーカ１３１からの音声出力を他のスピーカからの音声出力よりも強調する機能を有し、例えば、センタスピーカ１３１から出力される音声信号のみを増幅するセンタ強調処理、センタスピーカ１３１から出力される音声信号を増幅すると共に、他のスピーカから出力される音声信号を減幅するバランス調整処理が行われる。このセンタスピーカ１３１からの音声出力を他のスピーカから音声出力よりも強調する音場モードを「声強調モード」と言うことにする。
【００４５】
イコライザ処理部１９４は、周波数帯域毎に、ゲインを増減して音質をコントロールする機能を有し、フロントスピーカ１２９、１３０の指向性による周波数特性を補正する指向性補正処理を行うと共に、低音を増幅する低音増強処理を行う。
【００４６】
ボリューム１２４はシステムコントローラ１１５の指示にしたがって各スピーカの音圧（音量）を制御する。
【００４７】
リモコン受光部１１６は、リモコン１１７からの操作信号（赤外線）を受信し、受信した操作信号を電気信号に変換してシステムコントローラ１１５に出力する。
【００４８】
メモリ１１８は、コンテンツ情報復号部１１１によって抽出されたコンテンツ情報が記憶されると共に、コンテンツのジャンルおよびチャンネル数に応じた音場モードが定義されている音場モードテーブルが記憶されている（後述の図９参照）。
【００４９】
ＨＤＭＩ受信用ＬＳＩ１１０はＨＤＭＩケーブル６を介して受信した信号から映像信号と映像信号を分離再生し、映像信号をセレクタ１０８へ出力し、音声信号をセレクタ１１２へ出力する。
【００５０】
セレクタ１０８はシステムコントローラ１１５からの指示により映像復号部１０７からの映像信号、又はＨＤＭＩ受信用ＬＳＩ１１０からの映像信号のいずれか一方を選択して表示部１０９へ出力する。またセレクタ１１２はシステムコントローラ１１５からの指示により多重化復元部１０６からの音声信号、又はＨＤＭＩ受信用ＬＳＩ１１０からの音声信号のいずれか一方を選択して音声復号部１２０とデジタルオーディオインターフェース変調部１１３へ出力する。
【００５１】
デジタルオーディオインターフェース変調部１１３はセレクタ１１２から入力した音声データを光ケーブル伝送用信号に変調して発光素子１１４に出力する。発光素子１１４はデジタルオーディオインターフェース変調部１１３からの信号に応じて発光し、この光は光ケーブル１８によりオーディオ機器２に向けて伝送される。
【００５２】
また、双方向インターフェース回路１３３がシステムコントローラ１１５とＨＤＭＩケーブル６のＣＥＣラインとの間に備わり、送受信される信号の双方向バッファ回路を構成する。
【００５３】
ＥＤＩＤ−ＲＯＭ１３４には、テレビ受信機１の映像表示仕様や音声出力仕様が記憶されており、ＨＤＭＩケーブル６、９のＤＤＣラインを介してオーディオ機器２やレコーダ５にこれらの映像表示仕様又は音声出力仕様情報を伝達する。図示はしていないが、ＨＤＭＩ端子にはホットプラグ検出端子が備わっているので、ＨＤＭＩ端子が接続されたときにホットプラグ検出機能を使用してこれらの映像表示仕様又は音声出力仕様情報がオーディオ機器２あるいはレコーダ５に伝達される。
【００５４】
また、本実施の形態のオーディオ機器２は、システムコントローラ１５６と、セレクタ１４２と、音声復調部１４３と、オーディオ制御部１４４と、ボリューム１４７と、アンプ１４８〜１５１と、左右のフロントスピーカ１５２、１５３と、センタスピーカ１５４と、サブウーファ１５５と、ＨＤＭＩ受信用ＬＳＩ１５０と、ＨＤＭＩ送信用ＬＳＩ１６０と、受光素子１４０と、デジタルオーディオインターフェース復調部１４１と、双方向インターフェース回路１５７と、ＥＤＩＤ−ＲＯＭ１５８を具備している。
【００５５】
光ケーブル１８を介して発光素子１１４からの音声信号がオーディオ機器２の受光素子１４０に入力されると、受光素子１４０は光信号を電気信号に変換して、デジタルオーディオインターフェース復調部１４１に出力する。デジタルオーディオインターフェース復調部１４１は光伝送用に変調された信号を復調し、該復調された信号はセレクタ１４２を介して音声復調部１４３に入力されて音声信号として復調される。復調された音声信号はオーディオ制御部１４４に入力される。
【００５６】
オーディオ制御部１４４に入力された音声信号はオーディオ制御部１４４によって加工された後、ボリューム１４７を介してアンプ１４８〜１５１で増幅され、左右のフロントスピーカ１５２、１５３と、センタスピーカ１５４と、サブウーファ１５５とから音声出力される。ボリューム１４７はシステムコントローラ１５６の指示にしたがって各スピーカの音圧を制御する。
【００５７】
オーディオ制御部１４４は、音声復調部１４３によって復調された音声信号に加工を施す音質調整手段であり、チャンネル数変換処理部１８１と、音場変更処理部１８２と、強調処理部１８３と、イコライザ処理部１８４とからなる。
【００５８】
チャンネル数変換処理部１８１は、音声復調部１４３によって復調された音声信号のチャンネル数を変換する機能を有し、チャンネル数変換処理として、例えば、５．１ｃｈの音声信号を３．１ｃｈ又は１ｃｈに、２ｃｈの音声信号を１ｃｈに、３．１ｃｈの音声信号を１ｃｈにそれぞれ変換するダウンミックス処理、５．１ｃｈの音声信号を３．１ｃｈ又は２ｃｈに変換するバーチャルサラウンド処理、２ｃｈの音声信号を３．１ｃｈ又は５．１ｃｈに変換するマトリクスデコード処理、１ｃｈの音声信号を２ｃｈに変換するステレオ変換処理を行う。
【００５９】
音場変更処理部１８２は、音場、すなわちリスニング環境を変更する機能を有し、例えば、後方にスピーカが存在しないにもかかわらず、あたかも後方に音源があるかのように感じるバーチャルサラウンド処理、仮想的なスピーカ位置をスピーカの外側に移動させるスピーカ位置変更処理などを行う。
【００６０】
チャンネル数変換処理部１８１と音場変更処理部１８２による処理は、前述のチャンネル数変換処理部１９１、音場変更処理部１９２と同様に「ＶＳモード」、「ＰＬ２モード」などの各音場モードを実現するための処理である。
【００６１】
強調処理部１８３による処理は、強調処理部１９３と同様に「声強調モード」を実現するための処理である。
【００６２】
イコライザ処理部１８４は、イコライザ処理部１９４と同様に、周波数帯域毎に、ゲインを増減して音質をコントロールする機能を有し、フロントスピーカ１５２、１５３の指向性による周波数特性を補正する指向性補正処理を行うと共に、低音を増幅する低音増強処理を行う。
【００６３】
また、双方向インターフェース回路１５７がシステムコントローラ１５６とＨＤＭＩケーブル６、９のＣＥＣラインとの間に備わり、送受信される信号の双方向バッファ回路を構成する。
【００６４】
また、ＥＤＩＤ−ＲＯＭ１５８には、オーディオ機器２の音声出力仕様が記憶されており、ＨＤＭＩケーブル６、９のＤＤＣラインを介してテレビ受信機１やレコーダ５にこの音声出力仕様情報を伝達する。図示はしていないが、ＨＤＭＩ端子にはホットプラグ検出端子が備わっているので、ＨＤＭＩ端子が接続されたときにホットプラグ検出機能を使用してこれらの映像表示仕様や音声出力仕様情報がテレビ受信機１あるいはレコーダ５に伝達される。
【００６５】
ＨＤＭＩ受信用ＬＳＩ１５９は、ＨＤＭＩケーブルを介して受信したレコーダ５からの映像信号と映像信号を分離再生し、映像信号をＨＤＭＩ送信用ＬＳＩ１６０へ出力し、音声信号をＨＤＭＩ送信用ＬＳＩ１６０とセレクタ１４２へ出力する。
【００６６】
また、ＨＤＭＩ送信用ＬＳＩ１６０はＨＤＭＩ受信用ＬＳＩ１５９から入力した映像信号と音声信号をＨＤＭＩケーブル６のＴＭＤＳチャンネル１６７を介してテレビ受信機１のＨＤＭＩ受信用ＬＳＩ１１０に出力する。ＨＤＭＩ送信用ＬＳＩ１６０からＨＤＭＩ受信用ＬＳＩ１１０に出力される信号は、図４に示したようにＨＤＭＩ規格に基づいた信号（ＴＭＤＳリンクといわれる映像、音声、クロック信号）とされて送信される。
【００６７】
セレクタ１４２はシステムコントローラ１５６からの指示によりデジタルオーディオインターフェース復調部１４１からの音声信号、又はＨＤＭＩ受信用ＬＳＩ１５９からの音声信号のいずれか一方を選択して音声複合部１４３へ出力する。
【００６８】
また、本実施の形態のレコーダ５は、システムコントローラ１７２と、ＨＤＭＩ送信用ＬＳＩ１７１を具備している。ＨＤＭＩ送信用ＬＳＩ１７１はシステムコントローラ１７２の指示に従い、レコーダ５内部の記憶手段に記憶した映像データ、ＨＤＭＩ送信用ＬＳＩ１７１からオーディオ機器２のＨＤＭＩ受信用ＬＳＩ１５９に向けて映像信号と音声データを送信する。また、システムコントローラ１７２は、図示されていないホットプラグ検出機能を使用して、テレビ受信機１のＥＤＩＤ−ＲＯＭに記憶された映像表示仕様、音声出力仕様、あるいはオーディオ機器２のＥＤＩＤ−ＲＯＭに記憶された音声出力仕様のデータをＤＤＣライン１６６を通して読み取ることができる。また、システムコントローラ１７２はＣＥＣライン１６５を通してテレビ受信機１又はオーディオ機器２のシステムコントローラ１１５、１５６と制御信号の授受ができるようになっている。図示していないがレコーダ内部では、ＣＥＣラインには双方向バッファ、ＤＤＣラインにはＥＤＩＤーＲＯＭがテレビ受信機１の双方向インターフェイス回路１３３やＥＤＩＤーＲＯＭ１３４と同様の構成で接続されている。
【００６９】
次に、ユーザによって操作されるリモコン１１７からの指令により、テレビ受信機１が放送局からの放送番組を受信してテレビ受信機１の表示部１０９で映像表示し、オーディオ機器２のスピーカ１５２〜１５５から音声出力する場合の、映像信号、音声信号、及び制御信号の流れを、図７にしたがって説明する。図７は図６に示した構成図と同じである。
【００７０】
オーディオ機器２の音声出力仕様は、テレビ受信機１がオーディオ機器２にＨＤＭＩケーブル６を介して接続された際、システムコントローラ１１５によりＥＤＩＤ−ＲＯＭ１５８の音声出力仕様データが読み取られて、予めメモリ１１８に記憶されている。
【００７１】
まず、テレビ受信機１はアンテナ１０４からの放送番組を受信できる状態にあるとする。
【００７２】
ユーザがリモコンを操作して、テレビ受信機１が放送局からの放送番組を受信して映像をテレビ受信機１の表示部１０９で表示し、音声をオーディオ機器２のスピーカ１５２〜１５５から出力するように切り替えるよう指示すると、リモコン１１７からの指令を受け取ったシステムコントローラ１１５は、映像復号部１０７の信号を選択するようにセレクタ１０８を切り替える。また、多重化復元部１０６からの信号を選択するようにセレクタ１１２を切り替える。また、ボリューム１２４のゲインを０として音声出力がスピーカ１２９〜１３２から出力されないように処理する。なお、このときオーディオ制御部１２１は動作を停止するとよい。
【００７３】
また、システムコントローラ１１５は、ＣＥＣラインを通してシステムコントローラ１５６に音声をオーディオ機器２のスピーカ１５２〜１５５から出力するよう指示する。この指令を受け取ったシステムコントローラ１５６はセレクタ１４２をデジタルオーディオインターフェース復調部１４１の信号を選択するように切り替え、また、システムコントローラ１１５からＣＥＣライン１６９を通して送られてくる放送番組のジャンルと入力チャンネル数に応じて、最適な音場モードになるようにオーディオ制御部１４４の処理構成を切り替える。
【００７４】
したがって、映像復号部１０７で復号された映像信号はセレクタ１０８により選択されて表示部１０９に送られ、これにより表示部１０９は放送番組の映像を表示する。この映像信号は図７の実線（イ）で示した信号の流れで示される。
【００７５】
また、コンテンツ情報復号部１１１で抽出されたジャンルがシステムコントローラ１１５に出力される。コンテンツ情報復号部１１１は、多重化復元部１０６から入力された付加情報を復号化すると共に、復号化された付加情報からジャンルを抽出してシステムコントローラ１１５に出力される。また、多重化復元部１０６からの音声信号はセレクタ１１２により選択されて音声復号部１２０とデジタルオーディオインターフェース変調部１１３に出力される。
【００７６】
そして音声復号部１２０によって音声信号の入力チャンネル数が復号化される。システムコントローラ１１５は、放送番組のジャンルをコンテンツ情報復号部１１１から読み取り、また、チャンネル数を音声復号部１２０から読み取る。システムコントローラ１１５は、読み取った放送番組のジャンルと入力チャンネル数に応じた信号をオーディオ機器２のシステムコントローラ１５６に送る。この指令は図７の一点鎖線（ロ）で示した信号の流れで示される。
【００７７】
この放送番組のジャンルと入力チャンネル数に応じた信号を受けたシステムコントローラ１５６は、オーディオ制御部１４４に対して、放送番組のジャンルと入力チャンネル数に最適な音場モードを実現するように、オーディオ機器２の出力チャンネル数と音場モードの変更処理を行う。
【００７８】
セレクタ１１２から出力された音声信号はデジタルオーディオインターフェース変調部１１３にも出力されているので、この音声信号は、デジタルオーディオインターフェース変調部１１３、発光素子１１４、光ケーブル１８、受光素子１４０、デジタルオーディオインターフェース復調部１４１に伝送される。セレクタ１４２はデジタルオーディオインターフェース復調部１４１からの信号を選択し音声復調部１４３に送る。オーディオ制御部１４４は既に放送番組のジャンルと入力チャンネル数に最適な音場モードを実現する処理構成に切り替えられているので、オーディオ制御部１４４により加工が施された音声信号を基にスピーカ１５２〜１５５から出力される。この音声信号は図７の点線（ハ）で示した信号の流れで示される。
【００７９】
スピーカ１５２〜１５５から出力される音声は、放送番組のジャンルと入力チャンネル数に応じた最適な音場モードを実現する。
【００８０】
次に、ユーザによって操作されるリモコン１１７からの指令により、レコーダ５の録画番組の映像信号を基にテレビ受信機１で映像表示し、レコーダ５の録画番組の音声信号を基にオーディオ機器２で音声出力する場合の、映像信号、音声信号、及び制御信号の流れを、図８にしたがって説明する。図８は図６に示した構成図と同じである。
【００８１】
オーディオ機器２の音声出力仕様は、レコーダ５がオーディオ機器２にＨＤＭＩケーブル９を介して接続された際、システムコントローラ１７２によりＥＤＩＤ−ＲＯＭ１５８の音声出力仕様データが読み取られて、予めシステムコントローラ１７２の記憶手段に記憶されている。
【００８２】
まず、レコーダ５は放送番組を録画しているとする。このとき、録画情報として放送番組のジャンル情報も記録されている。
【００８３】
ユーザがリモコンを操作して、レコーダ５の映像信号を基にテレビ受信機１で映像表示し、レコーダ５の音声信号を基にオーディオ機器２で音声出力するように切り替えるようシステムコントローラ１１５に指示すると、リモコン１１７からの指令を受け取ったシステムコントローラ１１５は、ＨＤＭＩ受信用ＬＳＩ１１０の映像信号を選択するようにセレクタ１０８を切り替える。また、ボリューム１２４のゲインを０として音声出力がスピーカ１２９〜１３２から出力されないように処理する。
【００８４】
なお、このときテレビ受信機１の放送受信部（チューナ１０５と、多重化復元部１０６と、映像復号部１０７、コンテンツ情報復号部１１１、）、音声処理部（音声復号部１２０、オーディオ制御部１２１、デジタルオーディオインターフェース変調部１１３、発光素子１１４）は動作を停止するとよい。
【００８５】
また、システムコントローラ１１５は、ＨＤＭＩケーブル６のＣＥＣライン１６９を通してシステムコントローラ１５６にレコーダ５からの音声信号をオーディオ機器２のスピーカ１５２〜１５５で再生するよう指示する。この指令を受け取ったシステムコントローラ１５６はＨＤＭＩ受信用ＬＳＩ１５９の音声信号を選択するようにセレクタ１４２を切り替える。また、レコーダ５からＨＤＭＩケーブル９のＣＥＣライン１６５を通して送られてくる放送番組のジャンルと入力チャンネル数に応じて、最適な音場モードになるようにオーディオ制御部１４４の処理構成を切り替える。
【００８６】
したがって、レコーダ５のＨＤＭＩ送信用ＬＳＩ１７１、オーディオ機器２のＨＤＭＩ受信用ＬＳＩ１５９、ＨＤＭＩ送信用ＬＳＩ１６０、テレビ受信機１のＨＤＭＩ受信用ＬＳＩ１１０を介して送られた映像信号はセレクタ１０８により選択されて表示部１０９に送られ、これにより表示部１０９は放送番組の映像を表示する。この映像信号の流れは図８の実線（ニ）で示される。
【００８７】
また、システムコントローラ１７２で抽出されたジャンルとチャンネル数の情報がオーディオ機器２のシステムコントローラ１５６に出力される。この制御信号の流れは図８の一点鎖線（ホ）で示される。この放送番組のジャンルと入力チャンネル数に応じた信号を受けたシステムコントローラ１５６は、オーディオ機器２の出力チャンネル数と音場モードの変更処理を行い、録画番組のジャンルと入力チャンネル数に最適な音場モードを実現するように処理構成を切り替える。
【００８８】
レコーダ５のＨＤＭＩ送信用ＬＳＩ１７１、オーディオ機器２のＨＤＭＩ受信用ＬＳＩ１５９を介してセレクタ１４２に入力された音声信号は、セレクタ１４２で選択されて音声復調部１４３に送られる。オーディオ制御部１４４は既に放送番組のジャンルと入力チャンネル数に最適な音場モードを実現する処理構成に切り替えられているので、オーディオ制御部１４４により加工が施された音声信号を基にスピーカ１５２〜１５５から出力される。この音声信号の流れは図８の点線（ヘ）で示される。スピーカ１５２〜１５５から出力される音声は、録画番組のジャンルと入力チャンネル数に応じた最適な音場モードを実現する。
【００８９】
次に、処理構成を、ジャンルと入力チャンネル数に応じた最適な音場モードを実現するためのオーディオ制御部１２１、１４４の処理構成、及びその処理変更について説明する。
【００９０】
図９は、入力チャンネル数とジャンルにより音場モードを決めるための音場モードテーブルである。
【００９１】
図９に示したように、入力チャンネル数が５．１ｃｈでジャンルが映画、スポーツ、アニメ／特撮のときには音場モードが「ＶＳモード」となり、入力チャンネル数が５．１ｃｈでジャンルが音楽、劇場／公演、ドラマ、バラエティのときには「ピュア再生モード」となり、入力チャンネル数が５．１ｃｈでジャンルがニュース／報道、情報／ワイドショー、ドキュメンタリ／教養、趣味／教育、福祉のときには「声強調モード」となり、入力チャンネル数が２ｃｈでジャンルが映画のときには音場モードが「ＰＬ２→ＶＳモード」（→印はＰＬ２処理の後にＶＳ処理が行われることを示す）となり、入力チャンネル数が２ｃｈでジャンルがドラマ、バラエティ、スポーツ、アニメ／特撮のときには音場モードが「ＰＬ２モード」となり、入力チャンネル数が２ｃｈでジャンルが音楽、劇場／公演のときには音場モードが「ピュア再生」又は「ＯＦＦモード」となり、入力チャンネル数が２ｃｈでジャンルがニュース／報道、情報／ワイドショー、ドキュメンタリ／教養、趣味／教育、福祉のときには音場モードが「声強調モード」となり、入力チャンネル数が１ｃｈでジャンルが音楽、劇場／公演のときには音場モードが「ピュア再生モード」となり、入力チャンネル数が１ｃｈでジャンルが映画、ドラマ、バラエティ、スポーツ、アニメ／特撮、ニュース／報道、情報／ワイドショー、ドキュメンタリ／教養、趣味／教育、福祉のときには音場モードが「声強調モード」となる。図９で示した音場モードテーブルは、一例であって、その他の対応関係とすることもできる。５．１ｃｈ、１ｃｈのＯＦＦモードでジャンルが空欄になっている部分にもジャンルを割り振ることは可能である。
【００９２】
本実施の形態では、この音場モードテーブルがメモリ１１８に記憶されており、再生する番組のコンテンツ情報からジャンルと入力チャンネル数を抽出し、この音場モードテーブルを参照して、抽出されたジャンルと入力チャンネル数に応じた音場モードが実現されるようにオーディオ制御部１２１あるいは１４４の処理構成が切り替えられる。
【００９３】
図１０、図１１は、図９の各音場モードを実現するオーディオ制御部１２１あるいは１４４の処理を概念的にブロックで示したもので、入力チャンネル信号（ＬＳ、Ｌ、Ｒ、Ｃ、ＲＳ）入力部から出力チャンネル信号（Ｌ、Ｒ、Ｃ、ＬＦＥ）出力部までの音声信号変換処理が示されている。図１０は５．１ｃｈ入力時、図１１は２ｃｈ又は１ｃｈ入力時の処理概念図である。図１０、図１１に示したオーディオ制御部１２１（あるいは１４４）は入力チャンネル数に応じて内部の構成が制御的に変更されるものであり、ハードウェア的には同じものである。
【００９４】
図１０、図１１において、ＬＳは左サラウンドチャンネルの音声信号、Ｌは左チャンネルの音声信号、Ｃはセンタチャンネルの音声信号、Ｒは右チャンネルの音声信号、ＲＳは右サラウンドチャンネルの音声信号、ＬＦＥは低音（２０Ｈｚ〜１２０Ｈｚ）の効果音の音声信号である。以下の説明で、符号ＬＳ、Ｌ、Ｒ、Ｃ、ＲＳを各処理ブロックの入出力に共通に使用するが、各処理ブロックに入力される各音声信号をＬＳ入力信号、Ｌ入力信号、Ｒ入力信号、Ｃ入力信号、ＲＳ入力信号と記載し、各処理ブロックから出力される各音声信号をＬＳ出力信号、Ｌ出力信号、Ｒ出力信号、Ｃ出力信号、ＲＳ出力信号と記載する。また、音声出力用スピーカとしてオーディオ制御部１２１（あるいは１４４）のＬ出力信号が入力される左スピーカ、オーディオ制御部１２１（あるいは１４４）のＲ出力信号が入力される右スピーカ、オーディオ制御部１２１（あるいは１４４）のＣ出力信号が入力されるセンタスピーカの３チャンネル、及び付加的にオーディオ制御部１２１（あるいは１４４）のＬＦＥ出力信号が入力される低音用サブウーハスピーカを想定している。
【００９５】
図１０において、２０１はバーチャルサラウンド処理ブロック（以下、ＶＳ処理ブロックという）である。また、２０３は低音の音声信号を合成する処理ブロック（以下、ＢＡＳＳ処理ブロックという）である。２０８、２０９は信号遅延回路（delay）であり、ＬＳ、Ｌ、Ｒ、Ｃ、ＲＳの各信号が直接信号遅延回路２０８の入力部に達するタイミングに対し、ＶＳ処理ブロック２０１を通過したＬ、Ｒ、Ｃの各信号が信号遅延回路２０９の入力部に達するタイミングは時間的にずれがあるので、これらの信号タイミングが合うように調整して出力する信号遅延回路である。また、２０６は音声信号を所定のゲインで混合する処理ブロック（以下、Ｍｉｘｅｒ処理ブロックという）である。
【００９６】
Ｍｉｘｅｒ処理ブロック２０６は、信号の大きさを調整するゲイン調整部Ｌ１〜Ｌ８、Ｃ１〜Ｃ８、Ｒ１〜Ｒ８と、ゲイン調整部Ｌ１〜Ｌ８から出力された信号の和をとる加算器２１２、ゲイン調整部Ｃ１〜Ｃ８から出力された信号の和をとる加算器２１３、ゲイン調整部Ｒ１〜Ｒ８から出力された信号の和をとる加算器２１４を備えている。
【００９７】
ＢＡＳＳ処理ブロック２０３は、加算器２１２、２１３、２１４の出力信号の和をとる加算器２１５を備えている。
【００９８】
図１１は、２ｃｈ入力時及び１ｃｈ入力時の処理を示したもので、２ｃｈ入力時はＬ信号とＲ信号が入力され、１ｃｈ入力時はＣ信号（点線で示す）が入力される。
【００９９】
図１１において、２０７はプロロジック２処理ブロック（以下、ＰＬ２処理ブロックという）、２０２はＶＳ処理ブロックである。また、２０５はセレクタであり、ＰＬ２処理ブロック２０７のＬ、Ｃ、Ｒ出力信号、又はＶＳ処理ブロック２０２のＬ、Ｃ、Ｒ出力信号のいずれか一方を選択して通過させる。すなわち、「ＰＬ２モード」のときセレクタ２０５はＰＬ２処理ブロック２０７からの音声信号を通過させＶＳ処理ブロック２０２からの音声信号を遮断する。また「ＰＬ２→ＶＳモード」のときセレクタ２０５はＶＳ処理ブロック２０２からの音声信号を通過させＰＬ２処理ブロック２０７からの音声信号を遮断する。なお、「ＰＬ２→ＶＳモード」のときはＰＬ２処理ブロック２０７においてプロロジック２のＬＳ、Ｌ、Ｃ、Ｒ、ＲＳ出力信号が生成され、更ＶＳ処理ブロック２０２でバーチャルサラウンドＬ、Ｃ、Ｒ出力信号が生成されるようにオーディオ制御部１２１（又は１４４）が構成される。
【０１００】
また、２１０、２１１は信号遅延回路（delay）であり、Ｌ、Ｒ、又はＣの各信号が直接信号遅延回路２１０の入力部に達するタイミングに対し、ＰＬ２処理ブロック２０７及びセレクタ２０５を通過したＬ、Ｒ、Ｃの各信号、あるいはＰＬ２処理ブロック２０７、ＶＳ処理ブロック２０２及びセレクタ２０５を通過したＬ、Ｒ、Ｃの各信号が信号遅延回路２１１の入力部に達するタイミングは時間的にずれがあるので、これらの信号タイミングが合うように調整して出力する信号遅延回路である。その他、図１０と同じ符号は同じものを示している。
【０１０１】
なお、ＶＳ処理ブロック２０１、ＶＳ処理ブロック２０２、ＰＬ２処理２０７ブロックは内部の処理について図示を省略してある。例えば、ＶＳ処理ブロック２０１、２０２のバーチャルサラウンド処理はクロストークキャンセル処理を行うので入力信号ＬＳ、Ｌ、Ｒ、Ｃ、ＲＳを複雑に組み合わせて処理するが、これらについては表現されていない。ＶＳ処理ブロック２０１、２０２はバーチャルサラウンドの音場モードを実現する処理ブロックであり、従来より提案されている種々の方式（例えば特開平８−１４６９７４号公報、特開平９−４６８００号公報、特開平１０−６６１９８号公報などを参照）を適用することができる。また、ＰＬ２処理ブロック２０７はドルビー・サラウンド・プロロジック２（登録商標）の音場モードを実現する処理ブロックである。これらＶＳ処理ブロック、ＰＬ２処理ブロックの処理内容は既知の技術なので詳細説明は省略する。
【０１０２】
図１２、図１３、図１４は各入力チャンネル数で実現される各音場モードにおける、Ｍｉｘｅｒ処理ブロック２０６のゲイン調整部Ｌ１〜Ｌ８、Ｃ１〜Ｃ８、Ｒ１〜Ｒ８の各ゲインを示している。
【０１０３】
図１２は５．１ｃｈ入力時のＶＳモード、ピュア再生モード／声強調モード、ＯＦＦモードにおけるゲイン調整部Ｌ１〜Ｌ８、Ｃ１〜Ｃ８、Ｒ１〜Ｒ８の各ゲインを示している。
【０１０４】
５．１ｃｈ入力時ＶＳモードのときは、Ｍｉｘｅｒ処理ブロック２０６のゲイン調整部のゲインがＬ６＝１、Ｃ７＝１、Ｒ８＝１でありその他は全て０である。このとき、ゲイン調整部Ｌ１〜Ｌ５、Ｃ１〜Ｃ５、Ｒ１〜Ｒ５のゲインが全て０であるから、信号遅延回路２０８からの信号はＭｉｘｅｒ処理ブロック２０６を通過しない。
【０１０５】
また、信号遅延回路２０９から出力されたＬ出力信号に対しＭｉｘｅｒ処理ブロック２０６のゲイン調整部のゲインがＬ６＝１、Ｃ６＝０、Ｒ６＝０となっているので、ＶＳ処理ブロック２０１のＬ出力信号がＭｉｘｅｒ処理ブロック２０６のゲイン調整部Ｌ６（ゲイン１）、加算器２１２を通り、オーディオ制御部１２１（あるいは１４４）のＬ出力信号となる。
【０１０６】
また、信号遅延回路２０９から出力されたＣ出力信号に対しＭｉｘｅｒ処理ブロック２０６のゲイン調整部のゲインがＬ７＝０、Ｃ７＝１、Ｒ７＝０となっているので、ＶＳ処理ブロック２０１のＣ出力信号がＭｉｘｅｒ処理ブロック２０６のゲイン調整部Ｃ７（ゲイン１）、加算器２１３を通り、オーディオ制御部１２１（あるいは１４４）のＣ出力信号となる。
【０１０７】
また、信号遅延回路２０９から出力されたＲ出力信号に対しＭｉｘｅｒ処理ブロック２０６のゲイン調整部のゲインがＬ８＝０、Ｃ８＝０、Ｒ８＝１となっているので、ＶＳ処理ブロック２０１のＲ出力信号がＭｉｘｅｒ処理ブロック２０６のゲイン調整部Ｒ８（ゲイン１）、加算器２１４を通り、オーディオ制御部１２１（あるいは１４４）のＲ出力信号となる。
【０１０８】
このように、オーディオ制御部１２１（あるいは１４４）の構成が調整されることにより、オーディオ制御部１２１（あるいは１４４）に入力されたＬＳ、Ｌ、Ｒ、Ｃ、ＲＳの各音声信号は、ＶＳ処理ブロック２０１によりバーチャルサラウンドの処理をされてオーディオ制御部１２１（あるいは１４４）から３．１ｃｈのバーチャルサラウンドＬ、Ｒ、Ｃ、及びＬＦＥの各音声信号として出力される。
【０１０９】
５．１ｃｈ入力時ピュア再生モードのときは、Ｍｉｘｅｒ処理ブロック２０６のゲイン調整部のゲインがＬ１＝１／√２、Ｌ２＝１、Ｃ３＝１、Ｒ４＝１、Ｒ５＝１／√２でありその他は全て０である。このとき、ゲイン調整部Ｌ６〜Ｌ８、Ｃ６〜Ｃ８、Ｒ６〜Ｒ８のゲインが全て０であるから、信号遅延回路２０９からの信号はＭｉｘｅｒ処理ブロック２０６を通過しない。
【０１１０】
また、信号遅延回路２０８のＬＳ出力信号がＭｉｘｅｒ処理ブロック２０６のゲイン調整部Ｌ１に入力されて１／√２倍され、信号遅延回路２０８のＬ出力信号がＭｉｘｅｒ処理ブロック２０６のゲイン調整部Ｌ２に入力されて１倍され、その後ゲイン調整部Ｌ１とＬ２の信号は加算器２１２で加算されオーディオ制御部１２１（あるいは１４４）のＬ出力信号となる。
【０１１１】
また、信号遅延回路２０８のＣ出力信号がＭｉｘｅｒ処理ブロック２０６のゲイン調整部Ｃ３に入力されて１倍された後加算器２１３を通りオーディオ制御部１２１（あるいは１４４）のＣ出力信号となる。
【０１１２】
また、信号遅延回路２０８のＲＳ出力信号がＭｉｘｅｒ処理ブロック２０６のゲイン調整部Ｒ５に入力されて１／√２倍され、信号遅延回路２０８のＲ出力信号がＭｉｘｅｒ処理ブロック２０６のゲイン調整部Ｒ４に入力されて１倍され、その後ゲイン調整部Ｒ５とＲ４の信号は加算器２１４で加算されオーディオ制御部１２１（あるいは１４４）のＲ出力信号となる。
【０１１３】
５．１ｃｈ入力時声強調モードのときは、Ｍｉｘｅｒ処理ブロック２０６のゲイン調整部のゲインがＬ１＝１／√２＊１／√２、Ｌ２＝１＊１／√２、Ｃ３＝１、Ｒ４＝１＊１／√２、Ｒ５＝１／√２＊１／√２でありその他は全て０である。このとき、ゲイン調整部Ｌ６〜Ｌ８、Ｃ６〜Ｃ８、Ｒ６〜Ｒ８のゲインが全て０であるから、信号遅延回路２０９からの信号はＭｉｘｅｒ処理ブロック２０６を通過しない。
【０１１４】
また、信号遅延回路２０８のＬＳ出力信号がＭｉｘｅｒ処理ブロック２０６のゲイン調整部Ｌ１で１／√２＊１／√２倍され、信号遅延回路２０８のＬ出力信号がＭｉｘｅｒ処理ブロック２０６のゲイン調整部Ｌ２で１／√２倍され、その後ゲイン調整部Ｌ１とＬ２の信号は加算器２１２で加算されてオーディオ制御部１２１（あるいは１４４）のＬ出力信号が得られる。
また、信号遅延回路２０８のＣ出力信号がＭｉｘｅｒ処理ブロック２０６のゲイン調整部Ｃ３（ゲイン１）、加算器２１３を通ることによりオーディオ制御部１２１（あるいは１４４）のＣ出力信号が得られる。
【０１１５】
また、信号遅延回路２０８のＲＳ出力信号がＭｉｘｅｒ処理ブロック２０６のゲイン調整部Ｒ５で１／√２＊１／√２倍され、信号遅延回路２０８のＲ出力信号がＭｉｘｅｒ処理ブロック２０６のゲイン調整部Ｒ４で１／√２倍され、その後ゲイン調整部Ｒ５とＲ４の信号は加算器２１４で加算されてオーディオ制御部１２１（あるいは１４４）のＲ出力信号が得られる。
【０１１６】
５．１ｃｈ入力時ＯＦＦモードのときは、Ｍｉｘｅｒ処理ブロック２０６のゲイン調整部のゲインがＬ１＝１／√２＊１／√２、Ｌ２＝１、Ｌ３＝１＊１／√２、Ｒ３＝１／√２、Ｒ４＝１Ｒ、５＝１／√２でありその他は全て０である。このとき、ゲイン調整部Ｌ６〜Ｌ８、Ｃ６〜Ｃ８、Ｒ６〜Ｒ８のゲインが全て０であるから、信号遅延回路２０９からの信号はＭｉｘｅｒ処理ブロック２０６を通過しない。
【０１１７】
また、信号遅延回路２０８のＬＳ出力信号がＭｉｘｅｒ処理ブロック２０６のゲイン調整部Ｌ１で１／√２倍され、信号遅延回路２０８のＬ出力信号がＭｉｘｅｒ処理ブロック２０６のゲイン調整部Ｌ２で１倍され、信号遅延回路２０８のＣ出力信号がＭｉｘｅｒ処理ブロック２０６のゲイン調整部Ｌ３で１／√２倍され、その後ゲイン調整部Ｌ１、Ｌ２及びＬ３の信号は加算器２１２で加算されてオーディオ制御部１２１（あるいは１４４）のＬ出力信号が得られる。
【０１１８】
また、信号遅延回路２０８のＲＳ出力信号がＭｉｘｅｒ処理ブロック２０６のゲイン調整部Ｒ５で１／√２倍され、信号遅延回路２０８のＲ出力信号がＭｉｘｅｒ処理ブロック２０６のゲイン調整部Ｒ４で１倍され、信号遅延回路２０８のＣ出力信号がＭｉｘｅｒ処理ブロック２０６のゲイン調整部Ｒ３で１／√２倍され、その後ゲイン調整部Ｒ５、Ｒ４及びＲ３の信号は加算器２１４で加算されてオーディオ制御部１２１（あるいは１４４）のＲ出力信号が得られる。
【０１１９】
図1３は２ｃｈ入力時の声強調モード、ＰＬ２モード、ピュア再生モード、ＰＬ２→ＶＳモードにおけるゲイン調整部Ｌ１〜Ｌ８、Ｃ１〜Ｃ８、Ｒ１〜Ｒ８の各ゲインを示している。
２ｃｈ入力時声強調モードのときは、Ｍｉｘｅｒ処理ブロック２０６のゲイン調整部のゲインがＬ２＝０．２５、Ｃ２＝０．５、Ｃ４＝０．５、Ｒ４＝０．２５でありその他は全て０である。このとき、ゲイン調整部Ｌ６〜Ｌ８、Ｃ６〜Ｃ８、Ｒ６〜Ｒ８のゲインが全て０であるから、信号遅延回路２１１からの信号はＭｉｘｅｒ処理ブロック２０６を通過しない。
【０１２０】
また、信号遅延回路２１０のＬ出力信号がＭｉｘｅｒ処理ブロック２０６のゲイン調整部Ｌ２に入力され０．２５倍された後加算器２１２を通りオーディオ制御部１２１（あるいは１４４）のＬ出力信号となる。
【０１２１】
また、信号遅延回路２１０のＬ出力信号がＭｉｘｅｒ処理ブロック２０６のゲイン調整部Ｃ２に入力されて０．５倍され、信号遅延回路２１０のＲ出力信号がＭｉｘｅｒ処理ブロック２０６のゲイン調整部Ｃ４に入力されて０．５倍され、その後ゲイン調整部Ｃ２とＣ４の信号は加算器２１３で加算されオーディオ制御部１２１（あるいは１４４）のＣ出力信号となる。
【０１２２】
また、信号遅延回路２１０のＲ出力信号がＭｉｘｅｒ処理ブロック２０６のゲイン調整部Ｒ４に入力され０．２５倍された後加算器２１４を通りオーディオ制御部１２１（あるいは１４４）のＲ出力信号となる。
【０１２３】
２ｃｈ入力時ＰＬ２モードのときは、選択回路２０５がＰＬ２処理ブロック２０７のＬ、Ｃ、Ｒ出力信号を選択し、ＶＳ処理ブロック２０２のＬ、Ｃ、Ｒ出力信号を遮断する。また、Ｍｉｘｅｒ処理ブロック２０６のゲイン調整部のゲインがＬ６＝１、Ｃ７＝１、Ｒ８＝１でありその他は全て０である。このとき、ゲイン調整部Ｌ１〜Ｌ５、Ｃ１〜Ｃ５、Ｒ１〜Ｒ５のゲインが全て０であるから、信号遅延回路２１０からの信号はＭｉｘｅｒ処理ブロック２０６を通過しない。
【０１２４】
また、信号遅延回路２１１から出力されたＬ出力信号に対しＭｉｘｅｒ処理ブロック２０６のゲイン調整部のゲインがＬ６＝１、Ｃ６＝０、Ｒ６＝０となっているので、ＰＬ２処理ブロック２０７のＬ出力信号がＭｉｘｅｒ処理ブロック２０６のゲイン調整部Ｌ６（ゲイン１）、加算器２１２を通り、オーディオ制御部１２１（あるいは１４４）のＬ出力信号となる。
【０１２５】
また、信号遅延回路２１１から出力されたＣ出力信号に対しＭｉｘｅｒ処理ブロック２０６のゲイン調整部のゲインがＬ７＝０、Ｃ７＝１、Ｒ７＝０となっているので、ＰＬ２処理ブロック２０７のＣ出力信号がＭｉｘｅｒ処理ブロック２０６のゲイン調整部Ｃ７（ゲイン１）、加算器２１３を通り、オーディオ制御部１２１（あるいは１４４）のＣ出力信号となる。
【０１２６】
また、信号遅延回路２１１から出力されたＲ出力信号に対しＭｉｘｅｒ処理ブロック２０６のゲイン調整部のゲインがＬ８＝０、Ｃ８＝０、Ｒ８＝１となっているので、ＰＬ２処理ブロック２０７のＲ出力信号がＭｉｘｅｒ処理ブロック２０６のゲイン調整部Ｒ８（ゲイン１）、加算器２１４を通り、オーディオ制御部１２１（あるいは１４４）のＲ出力信号となる。
【０１２７】
２ｃｈ入力時ＰＬ２モードのときは、このようにオーディオ制御部１２１（あるいは１４４）の構成が調整されることにより、オーディオ制御部１２１（あるいは１４４）に入力された２ｃｈのＬ、Ｒ入力信号が、ＰＬ２処理ブロック２０７によりプロロジック２のサラウンド処理がなされてオーディオ制御部１２１（あるいは１４４）からドルビー・サラウンド・プロロジック２の音場を実現する３．１ｃｈのＬ、Ｒ、Ｃ、及びＬＦＥ信号として出力される。
【０１２８】
２ｃｈ入力時ピュア再生モードのときは、Ｍｉｘｅｒ処理ブロック２０６のゲイン調整部のゲインがＬ２＝１、Ｒ４＝１でありその他は全て０である。このとき、ゲイン調整部Ｌ６〜Ｌ８、Ｃ６〜Ｃ８、Ｒ６〜Ｒ８のゲインが全て０であるから、信号遅延回路２１１からの信号はＭｉｘｅｒ処理ブロック２０６を通過しない。
【０１２９】
また、信号遅延回路２１０から出力されたＬ出力信号がゲイン調整部Ｌ２（ゲイン１）、加算器２１２を通り、オーディオ制御部１２１（あるいは１４４）のＬ出力信号となる。
【０１３０】
また、信号遅延回路２１０から出力されたＲ出力信号がゲイン調整部Ｒ４（ゲイン１）、加算器２１４を通り、オーディオ制御部１２１（あるいは１４４）のＲ出力信号となる。
【０１３１】
２ｃｈ入力時ＰＬ２→ＶＳモードのときは選択回路２０５がＶＳ処理ブロック２０２のＬ、Ｃ、Ｒ出力信号を選択し、ＰＬ２処理ブロック２０７のＬ、Ｃ、Ｒ出力信号を遮断する。また、Ｌ６＝１、Ｃ７＝１、Ｒ８＝１でありその他は全て０である。このとき、Ｍｉｘｅｒ処理ブロック２０６のゲイン調整部Ｌ１〜Ｌ５、Ｃ１〜Ｃ５、Ｒ１〜Ｒ５のゲインが全て０であるから、信号遅延回路２１０からの信号はＭｉｘｅｒ処理ブロック２０６を通過しない。
【０１３２】
また、信号遅延回路２１１から出力されたＬ出力信号に対しＬ６＝１、Ｃ６＝０、Ｒ６＝０となっているので、ＶＳ処理ブロック２０２のＬ出力信号がＭｉｘｅｒ処理ブロック２０６のゲイン調整部Ｌ６（ゲイン１）、加算器２１２を通り、オーディオ制御部１２１（あるいは１４４）のＬ出力信号となる。
【０１３３】
また、信号遅延回路２１１から出力されたＣ出力信号に対しＬ７＝０、Ｃ７＝１、Ｒ７＝０となっているので、ＶＳ処理ブロック２０２のＣ出力信号がＭｉｘｅｒ処理ブロック２０６のゲイン調整部Ｃ７（ゲイン１）、加算器２１３を通り、オーディオ制御部１２１（あるいは１４４）のＣ出力信号となる。
【０１３４】
また、信号遅延回路２１１から出力されたＲ出力信号に対しＬ８＝０、Ｃ８＝０、Ｒ８＝１となっているので、ＶＳ処理ブロック２０１のＲ出力信号がＭｉｘｅｒ処理ブロック２０６のゲイン調整部Ｒ８（ゲイン１）、加算器２１４を通り、オーディオ制御部１２１（あるいは１４４）のＲ出力信号となる。
【０１３５】
２ｃｈ入力時ＰＬ２→ＶＳモードのときは、このようにオーディオ制御部１２１（あるいは１４４）の構成が調整されることにより、オーディオ制御部１２１（あるいは１４４）に入力された２ｃｈのＬ、Ｒ入力信号が、ＰＬ２処理ブロック２０７によりプロロジック２のサラウンド処理がなされてＶＳ処理ブロック２０２に入力され、更にＶＳ処理ブロック２０２によりバーチャルサラウンドの処理がなされてオーディオ制御部１２１（あるいは１４４）から３．１ｃｈのバーチャルサラウンドＬ、Ｒ、Ｃ、及びＬＦＥ信号として出力される。
【０１３６】
図1４は１ｃｈ入力時の声強調モード、ピュア再生モード、ＯＦＦモードにおけるゲイン調整部Ｌ１〜Ｌ８、Ｃ１〜Ｃ８、Ｒ１〜Ｒ８の各ゲインを示している。
１ｃｈ入力時声強調モードのときは、Ｍｉｘｅｒ処理ブロック２０６のゲイン調整部のゲインがＬ３＝０．２５、Ｃ３＝１、Ｒ３＝０．２５でありその他は全て０である。このとき、ゲイン調整部Ｌ６〜Ｌ８、Ｃ６〜Ｃ８、Ｒ６〜Ｒ８のゲインが全て０であるから、信号遅延回路２１１からの信号はＭｉｘｅｒ処理ブロック２０６を通過しない。
【０１３７】
また、信号遅延回路２１０から出力されたＣ出力信号がＭｉｘｅｒ処理ブロック２０６のゲイン調整部Ｌ３を通り０．２５倍されオーディオ制御部１２１（あるいは１４４）のＬ出力信号として得られる。
【０１３８】
また、信号遅延回路２１０から出力されたＣ出力信号はゲイン調整部Ｃ３（ゲイン１）を通りオーディオ制御部１２１（あるいは１４４）のＣ出力信号として得られる。
【０１３９】
また、信号遅延回路２１０から出力されたＣ出力信号はゲイン調整部Ｒ３を通り０．２５倍されオーディオ制御部１２１（あるいは１４４）のＲ出力信号として得られる。
【０１４０】
１ｃｈ入力時ピュア再生モードのときは、Ｍｉｘｅｒ処理ブロック２０６のゲイン調整部のゲインがＣ３＝１でありその他は全て０である。このとき、ゲイン調整部Ｌ６〜Ｌ８、Ｃ６〜Ｃ８、Ｒ６〜Ｒ８のゲインが全て０であるから、信号遅延回路２１１からの信号はＭｉｘｅｒ処理ブロック２０６を通過しない。
【０１４１】
また、信号遅延回路２１０から出力されたＣ出力信号がゲイン調整部Ｃ３（ゲイン１）を通り、オーディオ制御部１２１（あるいは１４４）のＣ出力信号となる。
【０１４２】
１ｃｈ入力時ピュア再生モードのときは、このようにオーディオ制御部１２１（あるいは１４４）の構成が調整されることにより、オーディオ制御部１２１（あるいは１４４）に入力された１ｃｈのＣ入力信号が、オーディオ制御部１２１（あるいは１４４）のＣ出力信号となる。
【０１４３】
１ｃｈ入力時ＯＦＦモードのときは、Ｍｉｘｅｒ処理ブロック２０６のゲイン調整部のゲインがＬ３＝１／√２、Ｒ３＝１／√２でありその他は全て０である。このとき、ゲイン調整部Ｌ６〜Ｌ８、Ｃ６〜Ｃ８、Ｒ６〜Ｒ８のゲインが全て０であるから、信号遅延回路２１１からの信号はＭｉｘｅｒ処理ブロック２０６を通過しない。
【０１４４】
また、信号遅延回路２１０から出力されたＣ出力信号がＭｉｘｅｒ処理ブロック２０６のゲイン調整部Ｌ３を通り１／√２倍されオーディオ制御部１２１（あるいは１４４）のＬ出力信号として得られる。
【０１４５】
また、信号遅延回路２１０から出力されたＣ出力信号はゲイン調整部Ｒ３を通り１／√２倍されオーディオ制御部１２１（あるいは１４４）のＣ出力信号として得られる。
【０１４６】
次に、音場モードを切り替えるときの制御を図１５〜図１７を参照して説明する。
図１５は、５．１ｃｈ入力時、ＶＳモードからピュア再生モードへ切り替える例を示したもので、Ｍｉｘｅｒ処理ブロック２０６のゲイン調整部Ｌ１〜Ｌ８、Ｃ１〜Ｃ８、Ｒ１〜Ｒ８のゲインの変化過程を示している。これら音場モードの切り替え処理は、オーディオ制御部１２１、あるいは１４４で実行される。特にＭｉｘｅｒ２０６のゲイン調整部Ｌ１〜Ｌ８、Ｃ１〜Ｃ８、Ｒ１〜Ｒ８のゲイン設定は音場変更処理部１９２、あるいは１８２が実行する。
【０１４７】
また、図１６は、２ｃｈ入力時、ＰＬ２→ＶＳモードからピュア再生モードへ切り替える例を示したもので、Ｍｉｘｅｒ処理ブロック２０６のゲイン調整部Ｌ１〜Ｌ８、Ｃ１〜Ｃ８、Ｒ１〜Ｒ８のゲインの変化過程を示している。
【０１４８】
また、図１７は、１ｃｈ入力時、声強調モードからピュア再生モードへ切り替える例を示したもので、Ｍｉｘｅｒ処理ブロック２０６のゲイン調整部Ｌ１〜Ｌ８、Ｃ１〜Ｃ８、Ｒ１〜Ｒ８のゲインの変化過程を示している。
【０１４９】
図１５〜図１７では、ゲイン調整部Ｌ１〜Ｌ８、Ｃ１〜Ｃ８、Ｒ１〜Ｒ８のゲインを４段階で変化させた例であるが、これは一例であり、４段階に限らず任意の複数の段階に分けてゲインを徐々に変化させるようにすることができる。
【０１５０】
また、図１５〜図１７では、ゲイン調整部Ｌ１〜Ｌ８、Ｃ１〜Ｃ８、Ｒ１〜Ｒ８のゲインを、４段階に亘って直線的に変化させている（変化前と変化後の間を４分割して補間し、直線的に変化させている）が、これは、音量を滑らかに連続的に変化させるためであり、曲線的に変化させてもよく、直線的な変化に限定されることはない。これら補間処理は音場変更処理部１９２、あるいは１８２が実行する。
【０１５１】
また、図１５〜図１７では、５．１ｃｈ、２ｃｈ、１ｃｈの入力チャンネル数に対して、それぞれ１例ずつ挙げているが、図１２〜図１４に両方向矢印で示したものは、Ｍｉｘｅｒ処理ブロック２０６のゲイン調整部Ｌ１〜Ｌ８、Ｃ１〜Ｃ８、Ｒ１〜Ｒ８のゲインを同様に変化させることで他の音場モードに切り替えることができる。
【０１５２】
但し、図１３の両方向矢印に×印で示した２ｃｈ入力時のＰＬ２→ＶＳモードとＰＬ２モード間の切り替えは、これらの間を直接的に切り替えることができない。これは、ＰＬ２処理ブロック２０７の出力とＶＳ処理ブロック２０２の出力をセレクタ２０５で切り替える制御が伴う為である。しかしながら、ＰＬ２→ＶＳモードとＰＬ２モードの間の切り替えは他の音場モードを経由して間接的に切り替えることができる。例えば「ＰＬ２→ＶＳモード」→「ピュア再生モード」→「ＰＬ２モード」のように切り替えると、経由する「ピュア再生モード」はゲイン調整部Ｌ６〜Ｌ８、Ｃ６〜Ｃ８、Ｒ６〜Ｒ８のゲインが全て０であるから、この「ピュア再生モード」になった時点でセレクタ２０５を切り替えれば、異音を発生する様なことはない。
【０１５３】
５．１ｃｈ入力時における、ＶＳモードとピュア再生モード間の切り替え例を図１５にしたがって説明する。
【０１５４】
切り替え前をＶＳモード、切り替え後をピュア再生モードとすると、切り替え前のＶＳモードは、Ｍｉｘｅｒ処理ブロック２０６のゲイン調整部Ｌ１〜Ｌ８、Ｃ１〜Ｃ８、Ｒ１〜Ｒ８のゲインがＬ６＝１、Ｃ７＝１、Ｒ８＝１、その他は０であり、切り替え後のピュア再生モードは、Ｍｉｘｅｒ処理ブロック２０６のゲイン調整部Ｌ１〜Ｌ８、Ｃ１〜Ｃ８、Ｒ１〜Ｒ８のゲインがＬ１＝１／√２、Ｌ２＝１、Ｃ３＝１、Ｒ４＝１、Ｒ５＝１／√２、その他は０となっている。
【０１５５】
切り替えの過渡期（図１５の（１）〜（３））における各段階のゲインは、切り替えを４段階に分けて、各段階のゲインを変化前のゲインと変化後のゲインから直線補間して求める。例えば、ゲイン調整部Ｌ１について言えば、切り替え前（図１５の（０））はＬ１＝０、切り替え後（図１５の（４））はＬ１＝１／√２なので、第１段階（図１５の（１））のＬ１は１／√２＊１／４、第２段階（図１５の（２））のＬ１は１／√２＊２／４、第３段階（図１５の（３））のＬ１は１／√２＊３／４、そして最終的な切り替え完了の第４段階（図１５の（４））のＬ１は１／√２となる。このように、他のゲインも各段階を補間して求めることができる。これら補間処理は音場変更処理部１９２、あるいは１８２が実行する。
【０１５６】
２ｃｈ入力時における、ＰＬ２→ＶＳモードとピュア再生モード間の切り替え例を図１６にしたがって説明する。
【０１５７】
切り替え前をＰＬ２→ＶＳモード、切り替え後をピュア再生モードとすると、切り替え前のＰＬ２→ＶＳモードは、Ｍｉｘｅｒ処理ブロック２０６のゲイン調整部Ｌ１〜Ｌ８、Ｃ１〜Ｃ８、Ｒ１〜Ｒ８のゲインがＬ６＝１、Ｃ７＝１、Ｒ８＝１、その他は０であり、切り替え後のピュア再生モードは、Ｍｉｘｅｒ処理ブロック２０６のゲイン調整部Ｌ１〜Ｌ８、Ｃ１〜Ｃ８、Ｒ１〜Ｒ８のゲインがＬ２＝１、Ｒ４＝１その他は０となっている。
【０１５８】
切り替えの過渡期（図１６の（１）〜（３））における各段階のゲインは、切り替えを４段階に分けて、各段階のゲインを変化前のゲインと変化後のゲインから直線補間して求める。例えば、ゲイン調整部Ｌ２について言えば、切り替え前（図１６の（０））はＬ２＝０、切り替え後（図１６の（４））はＬ２＝１なので、第１段階（図１６の（１））のＬ２は１／４、第２段階（図１６の（２））のＬ２は２／４、第３段階（図１６の（３））のＬ２は３／４、そして最終的な切り替え完了の第４段階（図１６の（４））のＬ２は１となる。このように、他のゲインも各段階を補間して求めることができる。
【０１５９】
１ｃｈ入力時における、声強調モードとピュア再生モード間の切り替え例を図１７にしたがって説明する。
切り替え前を声強調モード、切り替え後をピュア再生モードとすると、切り替え前の声強調モードは、Ｍｉｘｅｒ処理ブロック２０６のゲイン調整部Ｌ１〜Ｌ８、Ｃ１〜Ｃ８、Ｒ１〜Ｒ８のゲインがＬ３＝０．２５、Ｃ３＝１、Ｒ３＝０．２５、その他は０であり、切り替え後のピュア再生モードは、Ｍｉｘｅｒ処理ブロック２０６のゲイン調整部Ｌ１〜Ｌ８、Ｃ１〜Ｃ８、Ｒ１〜Ｒ８のゲインがＣ３＝１、その他は０となっている。
【０１６０】
切り替えの過渡期（図１７の（１）〜（３））における各段階のゲインは、切り替えを４段階に分けて、各段階のゲインを変化前のゲインと変化後のゲインから直線補間して求める。例えば、ゲイン調整部Ｌ３について言えば、切り替え前（図１７の（０））はＬ３＝０．２５、切り替え後（図１７の（４））はＬ３＝０なので、第１段階（図１７の（１））のＬ３は０．２５＊３／４、第２段階（図１７の（２））のＬ３は０．２５＊２／４、第３段階（図１７の（３））のＬ３は０．２５＊１／４、そして最終的な切り替え完了の第４段階（図１７の（４））のＬ３は０となる。このように、他のゲインも各段階を補間して求めることができる。これら補間処理は音場変更処理部１９２、あるいは１８２が実行する。
【０１６１】
以上の説明から明らかなように、各音場モード間の切り替えは、切り替えを複数の段階に分けて、変化前のゲインと変化後のゲインから各段階のゲインを補間（直線補間、曲線補完）して求め、設定することにより、実施することができる。上記実施の形態の音場モード切り替えによれば、切り替え前から切り替え後に亘って、各スピーカから出力される音量が滑らかに、且つ連続的に変化するようにできる。
【０１６２】
以上の実施の形態の説明では、オーディオ制御部１２１、１４４の制御で実現する各音場モードを、図９に示すようにしたが、本発明はこれには限定されない。また、入力チャンネル数やジャンルの情報をＣＥＣラインを通して伝達する例を説明したが、ＨＤＭＩケーブルのＴＭＤＳチャンネルを利用して伝達することもできる。この場合には伝送先の音声復号部あるいは音声復調部によりこれらの情報を抽出するようにすれば良い。
【０１６３】
以上、本実施の形態を具体的に説明したが、本発明は上記実施の形態に限定されず、発明の要旨を逸脱しない範囲で変更して実施することができる。
【産業上の利用可能性】
【０１６４】
本発明は、テレビ受信機、パソコン、レコーダ、ＨＤＤ装置などで番組を録画／再生するような装置に広く利用できる。
【図面の簡単な説明】
【０１６５】
【図１】本発明の音声再生装置、映像音声再生装置、音場モードの切り替え方法を実現する第１の実施の形態を示す図である。
【図２】本発明の音声再生装置、映像音声再生装置、音場モードの切り替え方法を実現する第２の実施の形態を示す図である。
【図３】本発明の音声再生装置、映像音声再生装置、音場モードの切り替え方法を実現する第３の実施の形態を示す図である。
【図４】本発明の第１〜第３の実施の形態におけるＨＤＭＩケーブルの接続を説明する図である。
【図５】本発明の第３の実施の形態におけるテレビ受信機、オーディオ機器、レコーダを概略制御ブロックで示した図である。
【図６】本発明の第３の実施の形態におけるテレビ受信機、オーディオ機器、レコーダをより詳細な制御ブロックで示した図である。
【図７】本発明の第３の実施の形態における、信号の流れを説明する図である。
【図８】本発明の第３の実施の形態における、他の信号の流れを説明する図である。
【図９】本発明の実施の形態における、音場モードテーブルの一例を示した図である。
【図１０】本発明による５．１ｃｈ入力時のオーディオ制御部の処理構成を示す図である。
【図１１】本発明による２ｃｈ、１ｃｈ入力時のオーディオ制御部の処理構成を示す図である。
【図１２】本発明による５．１ｃｈ入力時のＭｉｘｅｒ処理ブロックのゲイン調整部の各ゲインを示す図である。
【図１３】本発明による２ｃｈ入力時のＭｉｘｅｒ処理ブロックのゲイン調整部の各ゲインを示す図である。
【図１４】本発明による１ｃｈ入力時のＭｉｘｅｒ処理ブロックのゲイン調整部の各ゲインを示す図である。
【図１５】本発明による５．１ｃｈ入力時の音場モード切り替えの一例を示す図である。
【図１６】本発明による２ｃｈ入力時の音場モード切り替えの一例を示す図である。
【図１７】本発明による１ｃｈ入力時の音場モード切り替えの一例を示す図である。
【符号の説明】
【０１６６】
１・・・テレビ受信機（映像音声再生装置、受信手段）
２・・・オーディオ機器（音声再生装置、音声再生手段）
３〜５・・・レコーダ（番組記録再生装置、映像音声再生装置、受信手段）
６〜９、２５・・・ＨＤＭＩケーブル
１０〜１７、２６、２７・・・ＨＤＭＩ端子
１８・・・光ケーブル
２１・・・ＨＤＭＩソース
２２・・・ＨＤＭＩシンク
２３・・・ＨＤＭＩ送信機
２４・・・ＨＤＭＩ受信機
２８・・・ＴＭＤＳチャンネル
２９１６５、１６９・・・ＣＥＣライン
３０、１６６、１７０・・・ＤＤＣライン
３１、１３４、１５８・・・ＥＤＩＤ−ＲＯＭ
４１〜４３・・・ホストＣＰＵ
４４・・・モニタマイコン
４５、４６・・・フロントマイコン
４７〜４９、５４、５５・・・インターフェース回路
５０、５１、１１０、１５９・・・ＨＤＭＩ受信用ＬＳＩ
５２、５３、１６０、１７１・・・ＨＤＭＩ送信用ＬＳＩ
１０４・・・アンテナ
１０５・・・チューナ
１０６・・・多重化復元部
１０７・・・映像復号部
１０８、１１２、１４２・・・セレクタ
１０９・・・表示部
１１１・・・コンテンツ情報復号部
１１３・・・デジタルオーディオインターフェース変調部
１１４・・・発光素子
１１５、１５６、１７２・・・システムコントローラ
１１６・・・リモコン受光部
１１７・・・リモコン
１１８・・・メモリ
１１９・・・操作部
１２０・・・音声復号部
１２１、１４４・・・オーディオ制御部
１２４、１４７・・・ボリューム
１２５〜１２８、１４８〜１５１・・・アンプ
１２９、１５２・・・左フロントスピーカ
１３０、１５３・・・右フロントスピーカ
１３１、１５４・・・センタスピーカ
１３２、１５５・・・サブウーファ
１３３、１５７・・・双方向インターフェース回路
１４０・・・受光素子
１４１・・・デジタルオーディオインターフェース復調部
１４３・・・音声復調部
１６１、１６７・・・ＴＭＤＳチャンネル
１８１・・・チャンネル数変換処理部
１８２・・・音場変更処理部
１８３・・・強調処理部
１８４・・・イコライザ処理部
１９１・・・チャンネル数変換処理部
１９２・・・音場変更処理部
１９３・・・強調処理部
１９４・・・イコライザ処理部
２０１、２０２・・・ＶＳ処理ブロック
２０３・・・ＢＡＳＳ処理ブロック
２０５・・・セレクタ
２０６・・・Ｍｉｘｅｒ処理ブロック
２０７・・・ＰＬ２処理ブロック
２０８〜２１１・・・信号遅延回路
２１２〜２１５・・・加算器
【図１】
2008067279.tif 000003
【図２】
2008067279.tif 000004
【図３】
2008067279.tif 000005
【図４】
2008067279.tif 000006
【図５】
2008067279.tif 000007
【図６】
2008067279.tif 000008
【図７】
2008067279.tif 000009
【図８】
2008067279.tif 000010
【図９】
2008067279.tif 000011
【図１０】
2008067279.tif 000012
【図１１】
2008067279.tif 000013
【図１２】
2008067279.tif 000014
【図１３】
2008067279.tif 000015
【図１４】
2008067279.tif 000016
【図１５】
2008067279.tif 000017
【図１６】
2008067279.tif 000018
【図１７】
2008067279.tif 000019